(57)【要約】ディスプレイにおける老朽化に伴う非一様性を選択的に補償するビデオ信号補償器１０，７０，８０及び２９０は、動きの示唆を受信するか又は到来するビデオ信号における動きを検出し、非一様性を補償するために必要とされるディスプレイの異なる部分の補償の量の示唆を決定する。補償器は、可能性のある動きの範囲の少なくとも幾つかを通して、動きが少ない位置で必要とされる補償を選択的に適用しない。これは、少なくとも、ビデオにおける動きのために非一様性が余り見えない位置で駆動レベルを低減する。低減された駆動レベルは、余り経年劣化せず、従ってディスプレイの寿命を長くすることができる。必要とされる補償の量は、ディスプレイの画素の測定された出力から予測又は決定される。
2013501956.tif 000002
【特許請求の範囲】
【請求項１】
ディスプレイにおける老朽化に伴う非一様性を選択的に補償するビデオ信号補償器であって、
到来するビデオ信号における動きの示唆を受ける入力と、
前記非一様性を補償するために必要とされるディスプレイの異なる部分の補償の量の示唆を受ける入力とを備え、
示唆された動きに従って、必要とされる補償の量を前記ビデオ信号に選択的に適用する、
ことを特徴とする補償器。
【請求項２】
当該補償器は、可能性のある動きからなる範囲の少なくとも幾つかを通して、動きが少ない位置に、必要とされる補償を適用しない、
請求項１記載の補償器。
【請求項３】
前記動きの示唆を生成する動き検出器を備える、
請求項１又は２記載の補償器。
【請求項４】
前記動きの示唆は、画素当たり又は画素のグループ当たりの動きを示す、
請求項１乃至３の何れか記載の補償器。
【請求項５】
前記必要とされる補償の量の示唆を生成する手段を備える、
請求項１乃至４の何れか記載の補償器。
【請求項６】
前記必要とされる補償の量の示唆は、前記ディスプレイの寿命を通して経験されるビデオレベルの蓄積をそれぞれの画素について記憶し、前記蓄積と、様々な蓄積のデイスプレイの出力の経年劣化のモデルとに従って前記示唆を導出する記憶手段を備える、
請求項５記載の補償器。
【請求項７】
前記必要とされる補償の量の示唆を生成する手段は、それぞれの画素の光出力を決定し、前記光出力に従って前記示唆を生成する出力検出器を備える、
請求項５記載の補償器。
【請求項８】
前記到来するビデオ信号の所与のフレームにおける空間的な変動性のレベルを決定する手段を供え、
当該補償器は、空間的な変動性の決定されたレベルに従って、前記必要とされる補償の量を前記ビデオ信号に選択的に適用する、
請求項１乃至７の何れか記載の補償器。
【請求項９】
ディスプレイドライバへの供給に間に合うように、順次にそれぞれの画素を表す補償されたビデオ信号を出力する、
請求項１乃至８の何れか記載の補償器。
【請求項１０】
それぞれの画素について画素駆動回路を有するディスプレイドライバ回路であって、
請求項１乃至８の何れか記載の補償器は、それぞれの画素駆動回路について設けられる、
ことを特徴とするディスプレイドライバ回路。
【請求項１１】
ディスプレイパネルと、請求項１乃至９の何れか記載の補償器、又は請求項１０記載のディスプレイドライバ回路を有することを特徴とするディスプレイシステム。
【請求項１２】
ディスプレイにおける老朽化に伴う非一様性を選択的に補償する方法であって、
当該方法は、
到来するビデオ信号における動きの示唆を受信するステップと、
前記非一様性を補償するために必要とされる前記ディスプレイの異なる部分を補償する量の示唆を受信するステップと、
示唆された動きに従って、前記必要とされる補償の量を前記ビデオ信号に選択的に適用するステップと、
を含むことを特徴とする方法。
【請求項１３】
処理エンジンで実行されたときに、請求項１２記載の方法を実行するコードセグメントを有するコンピュータプログラム。
【請求項１４】
請求項１３記載のコンピュータプログラムを記録したコンピュータ読み取り可能な記録媒体。
【請求項１５】
請求項１乃至１０の何れか記載の補償器を有する集積回路。
【発明の詳細な説明】
【技術分野】
【０００１】
本発明は、ディスプレイにおける老朽化に伴う非一様性を補償する装置及び方法、対応するディスプレイドライバ回路、集積回路ディスプレイシステム及びコンピュータプログラムに関する。
【背景技術】
【０００２】
LEDのような画素毎の個々の光源を持つディスプレイ、プラズマパネル及びOLEDディスプレイは、個々の光源の異なる経年劣化に苦しむことがあり、これにより目に見える非一様性が生じる。異なる経年劣化に対抗するため、輝度の一様性を回復するのを試みる補償方法が開示されている。好ましくは、これらのディスプレイは、これらの非一様性に対抗するために幾つかの形態の一様性の補償を含んでいる。これらの補償技術の問題は、異なる経年劣化の加速であり、結果として、ディスプレイ寿命が更に低減することである。
【０００３】
US2008/106649は、組み込み制御の場合において、動き予測を利用するビデオプロセッサを示している。ビデオプロセッサは、焼きつきを生じる可能性のあるビデオ画像の態様を知的に認識し、係る認識に応じて、画素の非一様な老朽化を防止するようにビデオ画像を変更する。１つの態様によれば、変更は、ビデオフレーム全体、ビデオフレームの１以上の選択された領域、又はビデオフレームの１以上の個々の画素に対して空間的に行われる。この開示の別の態様によれば、変更は、ビデオストリームにおける全てのフレーム、ビデオストリームにおける選択されたフレーム、ビデオストリームにおける１つのフレームに対して時間的に行われる。
【発明の概要】
【課題を解決するための手段】
【０００４】
本発明の目的は、ディスプレイにおける老朽化に伴う非一様性を補償する代替的な装置及び方法を提供すること、対応するディスプレイドライバ回路、集積回路ディスプレイシステム及びコンピュータプログラムを提供することにある。第一の態様によれば、本発明は、ディスプレイにおける老朽化に伴う非一様性を選択的に補償するディスプレイビデオ信号補償器を提供するものであり、当該補償器は、到来するビデオ信号における動きの示唆を受ける入力、非一様性を補償するために必要とされるディスプレイの異なる部分の補償量の示唆を受ける入力を有しており、当該補償器は、示唆された動きに従って、必要とされる補償量をビデオ信号に選択的に適用する。
【０００５】
非一様性の可視性は動きにつれて変化するので、より多くの動きが存在するときに非一様性は、より目に見ることができ、従って、少なくとも、ビデオにおける動きのために非一様性があまり目えないレベルに駆動レベルを低減するため、補償を低減することができる。低減された駆動レベルにより、経年劣化が少なくなり、従ってディスプレイの寿命を長くすることができる。このアプローチは、ビデオコンテンツを修正することで異なる経年劣化を防止することを狙いとする焼き付き制御とは対照的である。代わりに、本発明のアプローチは、係る異なる経年劣化が生じた後に補償を改善することに関する。  
他の態様は、それぞれの画素について画素の駆動回路を有するディスプレイドライバを含む。  
他の態様は、ディスプレイパネル及び補償器、或いは駆動回路を有するディスプレイシステムを含む。
【０００６】
別の態様は、ディスプレイにおける老朽化に伴う非一様性を選択的に補償する対応する方法を提供するものであり、当該方法は、到来するビデオ信号における動きの示唆を受信するステップ、非一様性を補償するために必要とされるディスプレイの異なる部分についての補償量の示唆を受信するステップ、示唆された動きに従って、必要とされる補償量をビデオ信号に選択的に適用するステップを含む。
【０００７】
別の態様は、コードセグメントを含むコンピュータプログラムを含み、当該プログラムは、処理エンジンで実行されたときに、老朽化に伴う非一様性を選択的に補償する方法を実施する。別の態様は、コンピュータプログラムを記録したコンピュータ読み取り可能な記録媒体を提供する。別の態様は、補償器を有する集積回路を提供する。
【０００８】
本発明の実施の形態は、他の追加される特徴を有するものであり、幾つかの係る更なる特徴は、従属の請求項で述べられ、以下に更に詳細に記載される。
【０００９】
実施の形態は、更なる特徴を有することができ、更なる特徴の何れかは、互いに結合され、何れかの態様と組み合わせることができる。他の利点は、特に他の従来技術に対して、当業者にとって明らかである。本発明の請求項から逸脱することなしに様々な変形例及び変更例をなすことができる。従って、本発明の形式は例示的なものであって、本発明の範囲を限定することが意図されていないことを理解されたい。
【図面の簡単な説明】
【００１０】
本発明は、添付図面を参照しながら例示を通して以下に記載される。
【図１】本発明の第一の実施の形態に係る装置の概念図である。
【図２】本発明の第二の実施の形態に係る概念図である。
【図３】本発明の実施の形態に係る方法のステップを示す図である。
【図４】予測された経年劣化ではなく実際の経年劣化を使用した実施の形態の概念図である。
【図５】空間的な変動性に従う補償を有する実施の形態の概念図である。
【図６】それぞれの画素ドライバの補償器を有するディスプレイパネルの実施の形態の概念図である。
【図７】本発明と共に使用することができる概念的な処理エンジンを示す図である。
【発明を実施するための形態】
【００１１】
本発明は、特定の実施の形態に関して、所定の図面を参照して記載されるが、これら実施の形態に限定されるものではなく、特許請求の範囲によってのみ記載される。図面は、概念的なものであって、限定的なものではない。図面において、幾つかの構成要素のサイズは誇張されており、例示のために縮尺されて描かれていない。用語「備える」が本明細書及び特許請求の範囲で使用された場合、他の構成要素又はステップが排除されるものではない。単一の名詞を示すときに例えば“a”又は“an”、“the”といった不定冠詞又は定冠詞が使用されたとき、これは、特にことわりがない限り複数のその名詞を含む。
【００１２】
特許請求の範囲で使用される用語「備える」は、その後に列挙される手段に限定されるものとして解釈されるものではなく、他の構成要素又はステップを排除するものではない。従って、表現「手段A及びBを備える装置」の範囲は、構成要素A及びBのみから構成される装置に限定されない。本発明に関して、装置の関連する構成要素はA及びBのみであることを意味する。
【００１３】
さらに、明細書及び特許請求の範囲における用語「第一」、「第二」及び「第三」等は、類似の構成要素を区別するために使用され、必ずしも起こった順番又は年代順を説明するために使用されるものではない。そのように使用される用語は、適切な状況下で交換可能であって、本明細書で記載される本発明の実施の形態は、本明細書で記載又は例示される他の順序において動作可能であることを理解されたい。
【００１４】
さらに、用語「上“top”」、「下“bottom”」、「〜の上に“over”」及び「〜の下に“under”」等は、説明のために使用され、必ずしも、相対的な位置を説明するために使用されない。そのように使用される用語は、適切な状況下で交換可能であり、本明細書で記載される本発明の実施の形態は、本明細書で記載又は例示される以外の向きで動作可能である。
【００１５】
「１実施の形態」又は「実施の形態」に対する本明細書を通した参照は、実施の形態と共に記載される特定の特徴、構造又は特性が、本発明の少なくとも１つの実施の形態に含まれることを意味する。従って、本明細書を通して様々な位置における記載「１実施の形態では」又は「実施の形態では」の出現は、必ずしも、同じ実施の形態を全て示すものではない。さらに、特定の特徴、構造又は特性は、１以上の実施の形態において、この開示から当業者にとって明らかであるように、適切なやり方で結合される場合がある。
【００１６】
同様に、本発明の例示的な実施の形態の記載では、本発明の様々な特徴が、この開示を合理化し、１以上の様々な本発明の態様の理解を支援するために１つの実施の形態、図面、又は説明において互いにグループ化される。しかし、この開示の方法は、それぞれの請求項で明示的に示されるよりも多くの特徴を特許請求される発明が必要とするという意図を反映したものとして解釈されるべきではない。むしろ、以下の特許請求の範囲に反映するように、本発明の態様は、１つの上述の開示された実施の形態の全ての特徴よりも少ない特徴にある。従って、以下の詳細な説明に続く特許請求の範囲は、この開示された記載に明示的に盛り込まれ、それぞれの請求項は、本発明の個別の実施の形態としてそれ自身で成り立つ。
【００１７】
さらに、本明細書で記載される幾つかの実施の形態は、幾つかの他の実施の形態に含まれる他の特徴を含む一方で、異なる実施の形態の特徴の組み合わせは、当業者により理解されるように、本発明の範囲となることが意図され、異なる実施の形態を形成する。例えば、以下の請求項では、特許請求される実施の形態の何れかは、任意の組み合わせで使用することができる。
【００１８】
さらに、幾つかの実施の形態は、コンピュータシステムのプロセッサにより又はその機能を実行する他の手段により実現される方法、及び方法の構成要素の組み合わせとして記載される。従って、係る方法又は方法の構成要素を実行する必要な命令をもつプロセッサは、方法又は方法の構成要素を実行する手段を形成する。さらに、装置の実施の形態の本明細書で記載される構成要素は、本発明を実行する構成要素により実行される機能を実行する手段の例である。ある信号に対する参照は、何れかの媒体における任意の種類の信号を包含することができ、従って、例えば電気信号又は光信号或いは無線信号或いは、他の信号を包含することができる。プロセッサに対する参照は、任意の形式での信号又はデータを処理する手段を包含することができ、従って、例えばパーソナルコンピュータ、マイクロプロセッサ、アナログ回路、特定用途向け集積回路、ソフトウェア等を包含することができる。
【００１９】
本明細書で提供される記載では、様々な特定の詳細が述べられる。しかし、本発明の実施の形態はこれらの特定の詳細なしに実施される場合がある。他の例では、公知の方法、構造及び技術は、この記載の理解を曖昧にしないために詳細に示されていない。
【００２０】
本発明の実施の形態によれば、異なる経年劣化の補償方法それ自身により引き起こされる、異なる経年劣化の加速は、非一様性が目に見る事ができるときにのみ、異なる経年劣化の補償を適用することで低減することができる。これは、目に見ることができる非一様性を増加することなしに、異なる経年劣化の補償の効果的な量を低減する。従って、これによりディスプレイの寿命を長くすることができる。それは、ディスプレイの非一様性の可視性が、描かれたコンテンツに依存するという理解に基づいている。それは、コントラスト及びスペクトルエネルギー分布、又は視運動（apparent  motion）に依存する。
【００２１】
異なる経年劣化の補償方法は、ディスプレイの電気−光伝達関数の局所的な偏差を補正するために、表示されるべきビデオ強度を調節する。補償は、ディスプレイのそれぞれの色について個別に行うことができる。幾つかの場合、実際の局所的な光出力を測定するフィードバックシステムが使用される。本発明の実施の形態は、ビデオ信号における視運動に基づいて補償の量を制御する。このため、動き予測器を使用することができる。動き予測器の例は、G.de  Haan及びP.W.A.C.Biezenによる“Sub-pixel  motion  estimation  with  3-d  recursive  search  block-matching”in  Signal  Processing:  Image  Communication,  Vol.6,  pp.229-239,  1994に示されている。本実施の形態は、異なる経年劣化に苦しむ任意の種類のディスプレイに適用可能である。特に、OLEDのような短い寿命を有するディスプレイは、この方法から利益を得ることができるが、例えばLEDディスプレイといった複数の光源と、スキャニング／ローカルディミングバックライトを有する全てのディスプレイに当てはまる。TV応用のような、ディスプレイが動きを描く領域について最も関心がある。
【００２２】
実施の形態は、示唆された動きに従ってビデオ信号に対して必要とされる動きの量を選択的に適用することに加えて、更なる特徴を有する。幾つかの係る更なる特徴は、従属の請求項で述べられ、以下に更に詳細に記載される。１つの係る特徴は、可能性のある動きの範囲の少なくとも幾つかを通して少ない動きが存在する場合、必要とされる動きの量を少なく適用する補償器である。これにより、可視性に従い補償を最適化するのに役立つ。
【００２３】
別の係る特徴は、動きの示唆を生成する動き検出器を組み込むことである。これは、動き検出が補償器の必要に対して仕立てられるのを可能にする。別の係る特徴は、画素毎に又は画素のグループ毎に動きを示す動きの示唆である。これにより、「全体的な動き検出」と「局所的な動き予測」とを区別することができる。これは、あるフレームの異なる部分における異なる動きに対して補償を調整することができるので、完全なフレームの動きを示すよりも良好である。
【００２４】
別の係る更なる特徴は、必要とされる補償の量の示唆を生成する部分である。これにより、原理として、この示唆はインターネットにより結合される中央集約化された製造業者のデータベースといった外部ソースから供給されるが、より完全な、自給式システムが得られる。原理として、この補償は、どのようなコンテンツが従来に表示されたか、及び特定のディスプレイ（画素毎の変動）に依存し、従って、外部ソースから必要とされる補償の量を得ることは好適な解法ではない。必要とされる補償の量の示唆を生成する部分は、それぞれの画素について、画素の最初の特性、ディスプレイの寿命を通して経験されるビデオレベルの蓄積を記憶し、蓄積と、様々な蓄積及び画素の特性についてディスプレイの出力の経年劣化のモデルとに従う示唆を導出する手段を備える。蓄積された画素の強度の関数として必要とされる補償を予測することができるモデルは、画素から画素に変動する画素の特性であって、最初のキャリブレーションステップでディスプレイが使用される前に決定される画素の特性を必要とするか、又は該画素の特性から少なくとも利益を受ける。
【００２５】
これにより、ディスプレイの実際の光出力を検出する必要を回避することができ、従って、既存のディスプレイと互換性があるか、又はディスプレイの構造をシンプルにし、従ってより費用対効果が高い。
【００２６】
代替的に（又は同様に）、必要とされる補償の量の示唆を生成する部分は、それぞれの画素の光出力を決定し、光出力に従って示唆を生成する出力検出器を備える。これは、経年劣化の蓄積及びモデリングによる予測よりも正確な示唆を提供するが、より複雑なディスプレイの構造を含む。
【００２７】
別の更なる特徴は、到来するビデオ信号の所与のフレームにおける空間的な可視性のレベルを決定する部分を有する補償器であり、この補償器は、空間的な変動の決定されたレベルに従ってビデオ信号に対して必要とされる補償の量を選択的に適用する。非一様性の可視性は空間的な変動と共に変動し、この場合、空間的な変動が少ないときに非一様性はより多く目に見る事ができるので、これにより、補償を更に低減することができ、従って駆動レベルを低減することができ、ディスプレイの寿命を長くすることができる。
【００２８】
補償器は、従来のディスプレイとの動作を可能にするため、ディスプレイドライバへの供給に間に合うように順次にそれぞれの画素を表す補償されたビデオ信号を出力する。代替的に、補償は、記憶されているビデオ信号にオフラインで実行されるが、これらの記憶された信号が意図されたディスプレイで表示されるときにのみ実行される。
【００２９】
補償器は、ディスプレイドライバ回路で組み込まれるか、それぞれの画素について画素駆動回路に組み込まれ、その場合、補償器は、それぞれ画素駆動回路について提供される。例えば「タイミングコントローラ」、「ビデオプロセッサ」の形式で、パネル当たり唯一のディスプレイドライバ回路が存在するか、又は例えばデータドライバの形式で画素の列（のセット）当たり１つのドライバ回路が存在する。
【００３０】
画素駆動回路は、それぞれの画素に存在し、従ってデータドライバ又はタイミングコントローラよりもシンプルである。両方の位置における補償は、本発明の範囲に含まれる。
【００３１】
これらの回路は、補償されている非一様性のソースに対してより厳密な補償の統合を可能にし、ビデオプロセッサに補償器を追加する必要性を回避する。しかし、これにより、複雑さ、従ってコストがディスプレイに加わる。ディスプレイパネル及び補償器、又はディスプレイドライバ回路を有するディスプレイシステムが提供される。
【００３２】
図１は、本発明の第一の実施の形態の概念を示す。補償器２０は、ビデオ入力を受け、ディスプレイパネル１０に補償されたビデオ信号を出力する。また、補償器は、ビデオ入力における動きの量を示す入力信号、ディスプレイの異なる部分における老朽化に伴う非一様性の補償の量の示唆を受ける。補償器は、示唆された動きの量に従って選択的な補償を適用するために動作する。非一様性の可視性は動きと共に変動するので、補償を動きの間に低減することができ、このことは、駆動レベルを低減できることを意味しており、ディスプレイパネルの寿命を長くすることができる。補償器は、多くの異なるやり方で実現することができ、ディスプレイと共に位置されるか又は個別のユニットとして位置される。補償器は、ビデオ入力がリアルタイムビデオ信号である場合に、リアルタイムで動作する。又は、補償器は、リアルタイムではなく、オフラインで動作することができ、ビデオ入力は、フレームレートに関連しないレートに到達するビデオのフレームを表すデータとすることができる。
【００３３】
補償器は、可能性のある動きの範囲の少なくとも幾つかを通して、必要とされる補償を動きが少ない位置でそれほど適用しない。これは、非一様性の可視性に従って補償を最適化するのに役に立つ。補償の量は、動きの示唆を生成する動き検出器により決定される。これは、例えば補償器の必要に対して動きの検出を調整するのを可能にする。幾つかの場合、動きの示唆は、画素又は画素のグループ毎の動きを示す。これは、完全なフレームの動きよりも良好である。それは、フレームの異なる部分における異なる動きに対して補償を調整することができることを意味するからである。
【００３４】
図２は、予測される経年劣化の補償の形式において、ディスプレイの異なる部分における老朽化に伴う非一様性の補償の量の示唆を有する補償器の実施の形態を示す。特定のディスプレイについて予測される経年劣化の補償信号は、その寿命を通してその特定のディスプレイを駆動するために使用される信号の履歴、及び画素の特性に基づくモデルから生成される。これは、その特定のディスプレイについて経年劣化の蓄積手段６０により決定される。これは、入力ビデオ信号を受信し、不揮発性メモリのフレームバッファ５０に、ディスプレイパネルの寿命を通して画素又は画素のグループについて全ての駆動信号の蓄積を表すレコードを記録するプロセッサ４０により実現される。
【００３５】
このフレームバッファは、入力ビデオ信号を乗算するのに適した、それぞれの画素又は画素グループについて変動する補償ファクタの形式で入力ビデオ信号と同期される信号を出力する。これは、異なる画素が異なる量の経年劣化の補償を有するという意味で、いわゆる、異なる補償されたビデオ信号を生成する。乗算器７０は、この乗算のために設けられる。これは、要求に応じて、ルックアップテーブル、或いは、他の従来のアナログ又はデジタル回路の形態とすることができる。乗算器の出力は、ミキサ８０に供給される。これは、特定の予測された異なる経年劣化の補償信号を、手段９０により提供される一様に補償された（異ならない）補償信号と混合する。ミキサは、入力ビデオ信号における動きの量に従って、異なって補償された信号又は異ならない補償された信号、或いは、それぞれの制御可能な割合を有する混合された信号の何れかを出力する。混合された信号は、典型的にルックアップテーブルとして実現される従来のガンマ補正手段１１０を通して、ディスプレイパネル１２０に供給される。
【００３６】
動きの量は、動き検出器１００により検出される。これは、従来の慣習に従う様々なやり方で実現することができる。なお、非一様性の可視性は、通常は動きの方向に依存しないため、動きの方向を検出する必要はないことに留意されたい。従って、動きの量のみが検出される必要がある。これは、先行する１又は複数のフレームに対する比較により検出され、例えば小さな3×3の画素ブロック又は広い領域を通して検出される。ミキサは、動きがない完全な補償を提供し、より多くの動きが検出されるときに減少する補償の量を提供する。典型的な実現では、動き信号は、サブピクセルレートで8ビットのデジタル信号である。全体の補償器は、ASIC又はFPGA回路のようなデジタル回路で実現される。
【００３７】
図３は、図２の実施の形態又は他の実施の形態の動作におけるステップを示す。ステップ１４０で、ビデオにおける動きが検出される。ステップ１５０で、所与の画素又はディスプレイ領域の一部について経年劣化の補償が取得される。ステップ１６０で、検出された動きに従って経年劣化の補償が入力ビデオに選択的に適用される。これは、ステップ１７０により示されるように、次の画素又はディスプレイ領域の次の一部について繰り返される。任意に、ステップ１８０で、ディスプレイの寿命を通してどの位多くのその画素が駆動されるか、従ってどの位その画素が経年劣化しているか、従ってどの位その出力が変化しているかを表すために、フレームバッファの適切な部分へのインクリメント決定して加えることで、予測される経年劣化ファクタのフレームバッファが更新される。任意に、ステップ１９０に示されるように、ある画素又はディスプレイ領域の一部の周りでビデオ信号の空間的な変動性が決定される。経年劣化の補償は、ステップ２００により、動きに従うのと同様に、空間的な変動性に従って選択的に適用される。これは、適用される補償の量を更に低減し、従ってディスプレイの寿命を更に増加する。これは、より多くの空間的な変動性が存在しないときに、非一様性をあまり見えない限りにおいて、非一様性の可視性に過度に悪影響を及ぼすことなしに達成することができる。経年劣化は異なる色について異なり、可視性が異なる可能性があるので、異なる補償の量は、異なる色に適用することができる。
【００３８】
図４は、予測された経年劣化ではなく実際の経年劣化を使用した実施の形態を示す。これは、図２の構成要素に類似した構成要素を示しており、対応する参照符号は、必要に応じて使用され、図２の係る構成要素の説明が参照される。特定のディスプレイの経年劣化の蓄積手段６０の代わりに、それぞれの画素又は乗算器７０へのディスプレイ入力の一部について実際の経年劣化ファクタが存在する。これは、ディスプレイパネル２３０における出力検出器２２０、及び必要とされる実際の経年劣化の補償の示唆に出力を変換する部分２１０により生成される。出力検出器は、それがディスプレイの光出力経路又ディスプレイの特定の画素にあるか、又は出力を間接に検出する場合に、光出力を検出する。例えば、幾つかの場合、画素駆動回路における抵抗の値又は電流の流れは、光出力を示し、従ってその画素の経年劣化を示す。変換する部分は、従来の回路素子を使用して実現することができ、検出された出力を、例えばその画素についてガンマ補正後に所与のビデオ入力レベル又は所与の画素の駆動レベルについて期待される値又は参照値に比較することで、該検出された出力を変換する。
【００３９】
出力検出器が光出力を検出する場合、出力検出器は、ディスプレイに組み込まれているか、又は例えばディスプレイを示すビデオカメラのような外部の構成要素である。
【００４０】
図５は、補償器２９０、動き検出器１００及び空間変動性の検出器３１０を示す別の実施の形態の概念図を示す。補償器は、ビデオ入力を受信し、ディスプレイにおける老朽化に伴う非一様性が補償された、補償されたビデオ出力を出力する。この補償は、検出された動きに従って、及び空間的な変動性に従って選択可能である。非一様性は、空間的な変動性において小さな変化、及び空を横切る雲のシーンのような動きの小さな量が存在するときに最も目に見る事ができる。従って、補償は、係る場合について最大となる。動き又は高速の動きが存在する場合、非一様性は余り見えず、従って異なる補償を次第に低減することができる。勿論、異ならない補償は低減されるべきではない。非線形の電気光特性の補償が常に適用されることが好ましい。さらに、老朽化に伴わない画素毎の変動の補償（すなわち製造直後の存在する）は、老朽化に伴う変動の同じやり方で扱うことができる。それは、重要な画素毎に変動である。
【００４１】
補償が低減される画素間又は領域間の鮮鋭な遷移を回避するため、混合の空間的な平滑化が存在する。これは、混合が動き及び空間的な変動性に基づいているか否かに係らずに
提供される。最後の数ラインにおける画素のそれぞれについて混合のために使用される割合を記憶する多数のラインバッファを提供することで達成される。次いで、現在の画素の混合は、画素において使用された割合及び現在の画素のサイドに従って制御することができる。
【００４２】
図６は、それぞれの画素ドライバに組み込まれる補償器を有するディスプレイパネルの実施の形態の概念図である。ビデオ入力は、ビデオ行及び列分離器３２０及び動き検出器１００に供給される。分離器は、それぞれのフレームについて個々の画素信号を出力する。これらは、補償を達成するために新たな回路を介して個々の画素ドライバ３７０にそれぞれ供給される。これは、それぞれの画素のために画素乗算器７０、それぞれの画素のミキサ８０、及び画素出力検出器３８０を含む。変換器３５０は、出力を経年劣化の補償ファクタに変換する。他の実施の形態に置けるように、画素値を経年劣化のファクタで乗算する乗算器が使用される。さらに、その画素又はディスプレイの領域について検出された動きに従って、どの位多くの補償が適用されるべきかを決定するためにミキサが使用される。動き検出器は、それぞれの画素の動きの値を決定するためにそれぞれの画素ドライバでゲート制御される全ての画素及び時間に通過について共通の検出器であり、全ての画素に通過される連続信号を生成する。既に述べたように、ミキサは、動きの量に対する線形の関係において、画素ドライバへの信号出力における補償された値及び補償されていない値の割合を形成する。代替的に、非一様性の可視性に対する厳密な関係を提供するため、例えば動きが存在しないときに幾つかの補償を有し、低速のパニングのビデオ系列のような緩やかな動きが存在するときに大部分の補償を有し、比較的高速の動きが存在するときに補償を有さないことで、より複雑な制御となる。
【００４３】
この場合、ビデオ入力は、例えばガンマ補正及び異ならない経年劣化の補償といった、ディスプレイパネルに到達する前に適用される幾つかの補償を既に有する場合がある。
【００４４】
それぞれの画素のそれぞれの色について個別の駆動回路が存在する場合があり、それぞれの駆動回路は、それ自身のミキサ、コンバータ及び多重器を有する場合がある。多数の画素が存在するとき、この回路をできるだけシンプルに保持することにおいて大きなコストの利益がある。従って、多重器及びミキサは、例えば画素ドライバ回路３７０と集積されるアナログ回路として実現される。代替的に、原理として、画素ドライバのそれぞれで並列に動作するように補償器を分散させる代わりに、ビデオ行及び列分離部３２０の前に単一のミキサ及び多重器を有することで、「中央集約化された」又はシリアルアレンジメントが提供される。個々の画素出力検出器がそれぞれの画素について設けられる場合、係る解決策は、全ての出力検出を共通のコンバータに時分割多重化する多くの多重化回路を必要とする。
【００４５】
上述されたように、実施の形態は、入力画像を出力画像に変換する画像変換回路を含み、この場合、出力画像は、電気光伝達関数における局所的な違いの可視性について駆動値を補償することで、入力画像を表現する。電気光伝達関数における局所的な違いは、違いの可視性を決定するためにビデオにおける視運動を使用して補償することができる。
【００４６】
本発明はハードウェア回路で実現される場合があるが、幾つかの部分は、例えば汎用マイクロプロセッサ、特定用途向け集積回路のような従来の処理ハードウェアにより実行される、任意のコンピュータ言語におけるソフトウェアで実現される。
【００４７】
例えば、本発明の実施の形態に係る補償器は、ハードウェア、コンピュータソフトウェア、又は両者の組み合わせとして実現される。補償器は、汎用プロセッサ、埋め込み型プロセッサ、特定用途向け集積回路（ASIC）、フィールドプログラマブルゲートアレイ（FPGA）又は他のプログラマブルロジックデバイス、ディスクリートゲート又はトランジスタロジック、ディスクリートハードウェアコンポーネント、又は本明細書で記載された機能を実行するために設計される任意の組み合わせを含む。
【００４８】
先に示されたように、本発明は、本発明における使用向けのプロセッサシステムを提供する。処理システムは、例えばマイクロプロセッサといったコンピューティング装置又は処理エンジンを含む。本発明の実施の形態に係る上述され、特許請求された方法の何れかは、図７に示されるような処理システム４７において実現される。図７は、例えばRAM，ROM等の少なくとも１つの形式のメモリを含むメモリサブシステム４２に結合される少なくとも１つのカスタマイズ可能又はプログラム可能なプロセッサ４１を含む処理システム４７の１つの構成を示す。プロセッサ４１又はプロセッサは汎用又は特定用途向けプロセッサであり、例えば他の機能を実行する他のコンポーネントを有するチップといった装置に含まれる場合があることに留意されたい。従って、本発明の実施の形態に係る方法の１以上の態様は、デジタル電子回路、コンピュータハードウェア、ファームウェア、ソフトウェア、又はこれらの組み合わせで実現される。処理システムは、固体メモリ又はディスクドライブ、及び／又はUSB接続されたメモリのような固体メモリのポートを有するストレージサブシステム４３を含む。幾つかの実現では、ディスプレイシステム、キーボード及びポインティングデバイスは、ユーザがパラメータ値のような情報を手動で入力するユーザインタフェースサブシステム４４の一部として含まれる。処理システム４７の様々なエレメントは、少なくとも１つのバスのシステムを含むように当業者に理解されるが、単一バスとして明確さのために図７に示されるバスサブシステム４５を介して、様々なやり方で結合される。メモリサブシステム４２のメモリは、処理システム４７で実行されたとき、本明細書で記載された方法の実施の形態のステップを実現する命令のセットの一部又は全部（参照符号４６として示される何れかのケース）を保持する場合がある。
【００４９】
また、本発明は、コンピューティングデバイスで実行されたときに本発明に係る方法の何れかの機能を提供するコンピュータプログラムを含む。本発明に係るコンピュータプログラムは、処理エンジンで実行されたとき、ディスプレイにおける老朽化に伴う非一様性を選択的に補償するビデオ信号補償器を提供するソフトウェアを含み、補償器のソフトウェアは、処理エンジンで実行されたとき、非一様性を補償するために必要とされるディスプレイの異なる部分の補償の量の示唆を受けるのと同様に、到来するビデオ信号における動きの示唆を受けるのを可能にするコードセグメントを含む。ソフトウェアは、示唆された動きに係るビデオ信号に対して必要とされる補償の量を選択的に適用するために調整されることが好ましい。
【００５０】
ソフトウェアは、可能性のある動きの範囲の少なくとも幾つかを通して、動きが少ない位置に、必要とされる補償を適用しないように調整される。
【００５１】
ソフトウェアは、動きの示唆を生成するために動き検出を提供する。ソフトウェアは、先行する画像に比較して、オブジェクトを有する画像の一部を選択し、その部分の動きを検出することで、画像におけるオブジェクトの動きを検出する。
【００５２】
ソフトウェアは、画素毎又は画素のグループ毎の動きの示唆として動きの示唆を提供する。
【００５３】
ソフトウェアは、必要とされる補償の量の示唆を生成するために調整される。
【００５４】
ソフトウェアは、ディスプレイの寿命を通して経験されるビデオレベルの蓄積をそれぞれの画素について記憶し、蓄積に従って、及び様々な蓄積についてディスプレイの出力の経年劣化のモデルに従って示唆を導出することで、必要とされる補償の量の示唆を生成するために調整される。
【００５５】
ソフトウェアは、それぞれの画素の光出力を決定し、次いで光出力に従う示唆を生成することで、必要とされる補償の量の示唆を生成するために調整される。
【００５６】
ソフトウェアは、到来するビデオ信号の所与のフレームにおける空間的な変動性のレベルを決定し、空間的な変動性の決定されたレベルに従ってビデオ信号に対して必要とされる量の補償を選択的に適用する。
【００５７】
ソフトウェアは、ディスプレイドライバへの供給に間に合うように、順次にそれぞれの画素を表している補償されたビデオ信号を出力する。
【００５８】
係るコンピュータプログラムは、プログラマブルプロセッサによる実行のためにコンピュータ読み取り可能なコードを保持するコンピュータ読み取り可能な記録媒体に記録される。本発明は、計算手段で実行されたときに、上述された方法の何れかを実行する命令を供給するコンピュータプログラムを保持する記録媒体に関する。用語「記録媒体」とは、コンピュータ読み取り可能な記録媒体のような、実行のためにプロセッサへの命令の供給に関わる任意の媒体を示す。係る媒体は、限定されるものではないが、不揮発性媒体、伝送媒体を含む多くの形式を取る。不揮発性媒体は、例えば大容量記憶の一部である記憶装置のような光又は磁気ディスクを含む。コンピュータ読み取り可能な記録媒体の一般的な形態は、CD-ROM、DVD、フレキシブルディスク、プロプティカルディスク、テープ、メモリチップ又はカートリッジ又はコンピュータが読み取ることができる他の媒体を含む。コンピュータ読み取り可能な媒体の様々な形態は、実行のためにプロセッサに１以上の命令の１以上のシーケンスを担持することを含む。また、コンピュータプログラムは、LAN、WAN又はインターネットのようなネットワークにおける伝送波を介して伝送することができる。伝送媒体は、無線波及び赤外線通信の間に生成されるような音響又は光波の形態を取ることができる。伝送媒体は、コンピュータにおいてバスを含む配線を含めて、同軸ケーブル、銅線及び光ファイバを含む。他の変形例も特許請求の範囲において創作することができる。
【図１】
2013501956.tif 000003
【図２】
2013501956.tif 000004
【図３】
2013501956.tif 000005
【図４】
2013501956.tif 000006
【図５】
2013501956.tif 000007
【図６】
2013501956.tif 000008
【図７】
2013501956.tif 000009
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
ディスプレイにおける老朽化に伴う非一様性を選択的に補償するビデオ信号補償器であって、
到来するビデオ信号における可能性のある動きからなる範囲の動きの量を示す動き信号を受ける入力と、
駆動レベルを増加することで前記非一様性を補償するために必要とされるディスプレイの異なる部分の補償の量の示唆を受ける入力とを備え、
前記動き信号により示される動きの量に従って、必要とされる補償の量を前記ビデオ信号に選択的に適用する、
ことを特徴とする補償器。
【請求項２】
当該補償器は、可能性のある動きからなる範囲の少なくとも幾つかを通して、動きが少ない位置に、必要とされる補償を適用しない、
請求項１記載の補償器。
【請求項３】
当該補償器は、ある動きの量で必要とされる補償の最大の量を適用し、少ない動きの量及び多い動きの量で前記必要とされる補償を適用しない、
請求項２記載の補償器。
【請求項４】
前記動きの示唆は、画素当たり又は画素のグループ当たりの動きの量を示す、
請求項１乃至３の何れか記載の補償器。
【請求項５】
当該補償器は、ディスプレイドライバへの供給に間に合うように、順次にそれぞれの画素を表す補償されたビデオ信号を出力する、
請求項１乃至４の何れか記載の補償器。
【請求項６】
請求項１乃至５の何れか記載の補償器を備える画像変換装置であって、
前記到来するビデオ信号の所与のフレームにおける空間的な変動性のレベルを決定する手段を備え、
前記補償器は、空間的な変動性の決定されたレベルに従って、前記必要とされる補償の量を前記ビデオ信号に選択的に適用する、
ことを特徴とする画像変換装置。
【請求項７】
請求項１乃至５の何れか記載の補償器を備える画像変換装置であって、
前記動きの量を示す動き信号を生成する動き検出器を備える、
ことを特徴とする画像変換装置。
【請求項８】
請求項１乃至５の何れか記載の補償器を備える画像変換装置であって、
前記必要とされる補償の量の示唆を生成する手段を備える、
ことを特徴とする画像変換装置。
【請求項９】
前記必要とされる補償の量の示唆を生成する手段は、前記ディスプレイの寿命を通して経験されるビデオレベルの蓄積をそれぞれの画素について記憶し、前記蓄積と、様々な蓄積についてのデイスプレイの出力の経年劣化のモデルとに従って前記示唆を導出する手段を備える、
請求項８記載の画像変換装置。
【請求項１０】
前記必要とされる補償の量の示唆を生成する手段は、それぞれの画素の光出力を決定し、前記光出力に従って前記示唆を生成する出力検出器を備える、
請求項９記載の画像変換装置。
【請求項１１】
それぞれの画素のための画素駆動回路と、それぞれの画素駆動回路のための請求項１乃至５の何れか記載の補償器とを有するディスプレイドライバ回路。
【請求項１２】
ディスプレイパネルと、請求項１乃至５の何れか記載の補償器、又は請求項６乃至１０の何れか記載の画像変換装置、或いは請求項１１記載のディスプレイドライバ回路を有する、
ことを特徴とするディスプレイシステム。
【請求項１３】
ディスプレイにおける老朽化に伴う非一様性を選択的に補償する方法であって、
当該方法は、
到来するビデオ信号における可能性のある動きからなる範囲の動きの量を示す動き信号を受信するステップと、
駆動信号を増加することで前記非一様性を補償するために必要とされる前記ディスプレイの異なる部分を補償する量の示唆を受信するステップと、
前記動き信号により示される動きの量に従って、前記必要とされる補償の量を前記ビデオ信号に選択的に適用するステップと、
を含むことを特徴とする方法。
【請求項１４】
可能性のある動きからなる範囲の少なくとも幾つかを通して、動きが少ない位置で、前記必要とされる補償はあまり適用されない、
請求項１３記載の方法。
【請求項１５】
処理エンジンで実行されたとき、請求項１３又は１４記載の方法を実行するコードセグメントを有するコンピュータプログラム。
【請求項１６】
請求項１５記載のコンピュータプログラムを記録したコンピュータ読み取り可能な記録媒体。
【請求項１７】
請求項１乃至５の何れか記載の補償器を有する集積回路。
【国際調査報告】
2013501956.tif 000010
2013501956.tif 000011
2013501956.tif 000012